(57)【要約】【課題】釣糸に設けられた仕掛補器を当該釣糸に係止する釣用係止具であって、仕掛補器の取付位置を変更する際に落下して紛失することがない釣用係止具の提供。【解決手段】浮子ゴム４０は、釣糸挿通孔４３を有している。浮子ゴム４０は、釣糸挿通孔４３に釣糸３が挿通されることによって釣糸３に取り付けられる。釣用係止具２０は、この浮子ゴム４０を釣糸３に係止するものであり、嵌合軸部２１を有している。嵌合軸部２１は先端２４側から浮子ゴム４０の釣糸挿通孔４３に嵌め込まれる。嵌合軸部２１は、嵌合軸部２１の側面２５から他端面２６に貫通する貫通孔２８が設けられている。上記釣糸３は、この貫通孔２８に挿通される。【選択図】図９
2008000110.tif 000002
【特許請求の範囲】
【請求項１】
釣糸挿通孔を有し、当該釣糸挿通孔に釣糸が挿通されることによって当該釣糸に取り付けられる仕掛補器を当該釣糸に係止する釣用係止具であって、
一端側から仕掛補器の釣糸挿通孔に嵌め込まれる嵌合軸部を有し、
当該嵌合軸部は、当該嵌合軸部の側面から他端面に貫通する貫通孔を備えている釣用係止具。
【請求項２】
上記貫通孔は、上記側面から上記他端面の中央に貫通している請求項１に記載の釣用係止具。
【請求項３】
上記嵌合軸部の他端に連続してフランジが形成されている請求項１又は２に記載の釣用係止具。
【請求項４】
上記フランジの外縁角部に面取加工が施されている請求項３に記載の釣用係止具。
【請求項５】
上記フランジの上記嵌合軸部と対向する面は、当該嵌合軸部の軸方向に対して９０°よりも大きく１５０°以下の角度で傾斜している請求項３又は４に記載の釣用係止具。
【請求項６】
上記嵌合軸部の他端側の側面に、爪掛溝が形成されている請求項１から５のいずれかに記載の釣用係止具。
【請求項７】
一対の爪掛溝が左右対称に設けられている請求項６に記載の釣用係止具。
【発明の詳細な説明】
【技術分野】
【０００１】
本発明は、釣糸に設けられた仕掛補器を当該釣糸に係止する釣用係止具の構造に関するものである。
【背景技術】
【０００２】
磯釣りにおいては、「浮子フカセ釣り」と称されるジャンルがある。浮子フカセ釣りは、海中の流れを利用する釣法である。釣人は、浮子が取り付けられた軽量の仕掛けを海中の流れに乗せて自然な状態で流すことにより、当該海中の流れの中を泳ぐ魚のバイトを期待する。
【０００３】
図１５は、従来の浮子フカセ釣りの仕掛けを模式的に示す図である。浮子フカセ釣りでは、図１５が示すような仕掛けが採用される。具体的には、釣竿２に沿って案内された釣糸３に浮子１が装着される。この浮子１は、一般に「中通し浮き」と称されるものである（例えば、特許文献１参照）。浮子１は、一般に略紡錘形に形成され、その軸方向にライン挿通孔が設けられている。釣糸３は、このライン挿通孔に挿通されている。釣糸３の先端部には、「サルカン」と称される連結具４を介してハリス５が連結される。このハリス５の先端に釣針６が結び付けられている。また、釣糸３の所定位置には、浮止具７が取り付けられている。この浮止具７は、釣針６、ハリス５及び釣糸３等が水中に潜行していくことによって、相対的に浮子１に近接し当接する。これにより、仕掛けが水中に投入された際の、釣針６の水中での位置（一般に「タナ」と称される。）が決定されることになる。
【０００４】
また、浮子１とサルカン４との間に仕掛補器８が設けられることがある。この仕掛補器８は、例えば実釣における仕掛けの回収時に浮子１が相対的にハリス５側にスライドした際に、当該スライドを所定位置で規制するためのクッション部材である（例えば、特許文献２参照）。図１６は、仕掛補器８を示す斜視図である。同図が示すように、この仕掛補器８は、釣糸挿通孔１０を備えており、チューブ状に形成されている。釣糸３は、この釣糸挿通孔１０に挿通されており、この状態において釣糸挿通孔１０に係止具９が圧入されている。このため、釣糸３は、上記釣糸挿通孔１０の内壁面と係止具９の外周面とによって狭持され、その結果、仕掛補器８は、釣糸３の所定位置に固定される（図１７参照）。したがって、釣糸３の先端側へ移動した浮子１は、仕掛補器８に当接する。これにより、浮子１の仕掛けの回収時に移動が規制され、浮子１がサルカン４に衝突することが防止される。仕掛補器８は、一般にゴム管などの弾性変形可能な材料により形成されているので、浮子１が仕掛補器８に衝突しても浮子１が破損することはない。なお、仕掛補器８には、このようなクッション部材のほかその他の釣糸に設けられる小型道具も含まれる。
【０００５】
【特許文献１】特開２００１−３０９７３９号公報
【特許文献２】特開平１１−１９６７３７号公報
【発明の開示】
【発明が解決しようとする課題】
【０００６】
ところで、海中の流れは刻々と変化するが、仕掛けを海中の流れに確実に乗せるために上記仕掛補器８がいわゆる水中浮子として利用される場合もある。そのような場合には、釣人は、実釣中に浮止具７及び仕掛補器８の取付位置を変更することがある。浮止具７としては、釣糸３に巻き付けるようにして取り付けられる浮き止め糸が使用されるので、釣人は、浮止具７の取付位置を容易に変更することができる。これに対して、仕掛補器８は、係止具９が釣糸挿通孔１０に嵌め込まれることにより釣糸３に固定されている。したがって、仕掛補器８の取付位置を変更する場合、仕掛補器８の釣糸挿通孔１０から係止具９を一旦引き抜き、釣糸３に沿って仕掛補器８を移動させた後、再び仕掛補器８の釣糸挿通孔１０に係止具９を挿し込むという作業が必要である。
【０００７】
しかしながら、係止具９としては従来から微小な楊枝のような道具が用いられているので、引き抜かれた係止具９が落下して紛失するおそれが高かった。そのため、釣人は、係止具９を引き抜いて仕掛補器８の取付位置を変更する作業に細心の注意を払わなければならず、仕掛補器８の取付位置の変更は釣人にとって非常に煩わしい作業であった。
【０００８】
本発明は、かかる背景のもとになされたものであり、その目的は、釣糸に設けられた仕掛補器を当該釣糸に係止する釣用係止具であって、仕掛補器の取付位置を変更する際に落下して紛失することがない釣用係止具を提供することである。
【課題を解決するための手段】
【０００９】
(1) 上記目的が達成されるため、本発明に係る釣用係止具は、釣糸挿通孔を有し、当該釣糸挿通孔に釣糸が挿通されることによって当該釣糸に取り付けられる仕掛補器を当該釣糸に係止する釣用係止具であって、一端側から仕掛補器の釣糸挿通孔に嵌め込まれる嵌合軸部を有し、当該嵌合軸部は、当該嵌合軸部の側面から他端面に貫通する貫通孔を備えている。
【００１０】
釣りに使用される仕掛けは、一般に釣糸、釣糸が挿通されることによって当該釣糸に対してスライド自在に設けられる浮子、釣糸に連結されたハリス及び釣針を有し、この仕掛けに仕掛補器が取り付けられる場合がある。この仕掛補器は、典型的には、浮子がハリス側へスライドすることを規制するクッション或いは水中浮子等である。このクッションや水中浮子等の仕掛補器は、釣糸挿通孔を有し、チューブ状に形成されている。上記釣糸は、釣糸挿通孔に挿通され、これにより、仕掛補器が釣糸に取り付けられる。ただし、この状態では、仕掛補器が当該釣糸に対して自由にスライドすることができる。本発明に係る釣用係止具は、この仕掛補器を釣糸に固定するものである。なお、クッションが水中浮子を兼ねている場合もある。
【００１１】
上記釣糸は、嵌合軸部の貫通孔にも挿通される。これにより、釣用係止具も当該釣糸に取り付けられ、当該釣用係止具は、当該釣糸に対して自由にスライドすることができる。嵌合軸部は、その一端側から上記釣糸挿通孔に嵌め込まれる。これにより、釣糸挿通孔に挿通された釣糸は、当該釣糸挿通孔の内壁面と上記嵌合軸部の外周面との間に挟み込まれる。したがって、仕掛補器は、当該釣糸に対して係止される。
【００１２】
仕掛補器の位置が変更されるときは、上記釣用係止具が仕掛補器から取り外される。具体的には、嵌合軸部が仕掛補器の釣糸挿通孔から引き抜かれる。この場合であっても、釣糸が嵌合軸部の貫通孔に挿通されているから、釣用係止具が釣糸から脱落することはない。
【００１３】
(2) 上記貫通孔は、上記側面から上記他端面の中央に貫通していることが好ましい。
【００１４】
釣糸は、仕掛補器の釣糸挿通孔の内部から上記貫通孔を通じて嵌合軸部内に入り、その後、当該嵌合軸部の他端面の中央から出る。すなわち、釣糸は、仕掛補器の釣糸挿通孔の一方側中央から入り、釣用係止具を介して仕掛補器の釣糸挿通孔の他方側中央から出ることになる。したがって、仕掛補器が釣糸に取り付けられた場合であっても、当該釣糸は、略真直な状態を保つ。その結果、仕掛け全体が水中でより自然な状態を保つことができる。
【００１５】
(3) 上記嵌合軸部の他端に連続してフランジが形成されていてもよい。
【００１６】
この構成では、嵌合軸部がその一端側から上記釣糸挿通孔に嵌め込まれることにより、フランジが仕掛補器に当接する。これにより、嵌合軸部が釣糸挿通孔に入り込み過ぎることが防止される。また、フランジが嵌合軸部の他端側に位置しているので、釣人は、フランジを把持して釣用係止具を仕掛補器に対して簡単に着脱することができる。
【００１７】
(4) 上記フランジの外縁角部に面取加工が施されていることが好ましい。
【００１８】
この構成により、嵌合軸部が釣糸挿通孔に嵌め込まれた状態で仕掛補器とフランジとの間に隙間ができる。したがって、釣人は、フランジに爪を引っ掛けるようにして仕掛補器の釣糸挿通孔から嵌合軸部を引き抜くことができる。なお、面取加工としては、Ｒ加工やＣ面処理が例示される。
【００１９】
(5) 上記フランジの上記嵌合軸部と対向する面は、当該嵌合軸部の軸方向に対して９０°（ｄｅｇｒｅｅ）よりも大きく１５０°以下の角度で傾斜していることが好ましい。
【００２０】
この構成により、嵌合軸部が嵌め込まれた状態で、仕掛補器とフランジとの間にさらに大きな隙間が形成される。したがって、釣人は、仕掛補器の釣糸挿通孔から嵌合軸部を引き抜く際に、上記嵌合軸部と対向する面に指先を引っ掛けることができるので、嵌合軸部の引き抜きが容易である。
【００２１】
(6) 上記嵌合軸部の他端側の側面に、爪掛溝が形成されていてもよい。
【００２２】
この構成により、釣人は、爪掛溝に爪を引っ掛けて仕掛補器の釣糸挿通孔に嵌合軸部を容易に挿抜することができる。
【００２３】
(7) 一対の爪掛溝が左右対称に設けられていることが好ましい。
【００２４】
この構成により、釣人は、嵌合軸部をつまんで保持することができる。したがって、仕掛補器の釣糸挿通孔に対する嵌合軸部の挿抜が一層容易である。
【発明の効果】
【００２５】
本発明によれば、釣糸が嵌合軸部の貫通孔に挿通されているので、釣用係止具が釣糸から脱落することがない。したがって、釣糸挿通孔から嵌合軸部を引き抜いて仕掛補器の取付位置を変更する際に、釣用係止具が落下して紛失することを防止できる。これにより、釣人は、簡単且つ迅速に仕掛補器の取付位置を変更することができる。
【発明を実施するための最良の形態】
【００２６】
以下、適宜図面が参照されつつ、好ましい実施形態に基づいて本発明が詳細に説明される。なお、以下の実施形態は本発明が具体化された一例にすぎず、本発明の要旨を変更しない範囲で、実施形態が適宜変更され得ることは勿論である。
【００２７】
＜第１の実施形態＞
【００２８】
図１は、浮子フカセ釣りの仕掛けを模式的に示す図である。図２は、本発明の第１の実施形態に係る釣用係止具２０の概略斜視図である。
【００２９】
例えば磯における浮子フカセ釣りでは、図１が示すような仕掛けが採用される。この仕掛けは、釣糸３、浮止具７、浮子１、サルカン４、サルカン４を介して釣糸３に連結されたハリス５及び釣針６等を備える。浮子１は、いわゆる中通し浮きである。釣糸３が浮子１に挿通されることによって、浮子１は、釣糸３に対してスライド自在に設けられる。そのため、浮子１は、例えば実釣における仕掛けの回収時にハリス５側にスライドしてサルカン４に衝突するおそれがある。これを防止するために、釣糸３には浮子ゴム４０（本発明における仕掛補器の一例）が取り付けられている。この浮子ゴム４０は、浮子１がハリス５側へスライドすることを規制するクッション、及び水中浮子として機能するものである。
【００３０】
浮子ゴム４０は、後述されるようにチューブ状に形成されており、釣糸３が浮子ゴム４０に挿通される。この状態で、浮子ゴム４０は、釣糸３に対して自由にスライドすることができる。釣人は、浮子ゴム４０を釣糸３の所望の位置に係止するために、釣用係止具２０を使用する。この釣用係止具２０は、浮子ゴム４０に挿し込まれるようになっており、これにより、浮子ゴム４０が釣糸３に固定される。本実施形態に係る釣用係止具２０の特徴とするところは、釣用係止具２０が釣糸３から脱落しないように釣糸３に取り付けられている点である。具体的には、釣糸３が釣用係止具２０にも挿通されるようになっており、これにより、浮子ゴム４０の取付位置が変更される際に釣用係止具２０が落下して紛失することが防止されるようになっている。
【００３１】
図３は、釣用係止具２０の側面図である。図４は、釣用係止具２０の縦断面図である。図５は、釣用係止具２０の平面図である。図６は、釣用係止具２０の底面図である。
【００３２】
図２〜図６が示すように、釣用係止具２０は、嵌合軸部２１を備えており、この嵌合軸部２１は、その他端にフランジ２２を有する。フランジ２２は、嵌合軸部２１の他端に連続して形成されている。この嵌合軸部２１及びフランジ２２は、樹脂又は金属により一体的に構成され得る。ただし、この釣用係止具２０を構成する樹脂としては、ポリプロピレン（ＰＰ）やアクリロニトリルブタジエンスチレン共重合体（ＡＢＳ樹脂）等が好適である。
【００３３】
嵌合軸部２１は、先端２４（一端）側から浮子ゴム４０の釣糸挿通孔４３（図７参照）に嵌め込まれるものである。嵌合軸部２１は、釣糸挿通孔４３に嵌め込まれる部分が略円柱形状に形成されている。なお、嵌合軸部２１を釣糸挿通孔４３に挿し込みやすくするために、嵌合軸部２１は、その先端２４側が若干尖った形状に形成されている。また、その嵌合軸部２１の側面２５は、滑らかな曲面に形成されている。これにより、釣人は、嵌合軸部２１を釣糸挿通孔４３に対して容易に抜き差しできるようになっている。この嵌合軸部２１の軸方向の長さは、釣糸挿通孔４３の軸方向の長さよりも短い。また、嵌合軸部２１の直径は、釣糸挿通孔４３の内径寸法よりも大きい。本実施形態においては、フランジ２２が設けられた箇所を除く嵌合軸部２１の軸方向の長さｌは６ｍｍ程度、外径寸法ｄは１．９ｍｍ程度に設定されている。なお、嵌合軸部２１の寸法は本実施形態に示すものに限定されるものではなく、浮子ゴム４０の寸法に応じて適宜変更されるものである。
【００３４】
フランジ２２は、嵌合軸部２１の他端に設けられている。このフランジ２２は、略円錐形状に形成されており、フランジ２２の外周面が嵌合軸部２１の他端部の外形を形成している。本実施形態では、フランジ２２の上面３４（嵌合軸部２１と対向する面）から他端面２６までの寸法ａは、３．８ｍｍ、上面３４の直径ｂは３．９ｍｍ、他端面２６の直径ｃは１．５ｍｍに設定されている。このように、フランジ２２の上面３４の直径ｂが嵌合軸部２１の外径ｄよりも大きく設定されているので、釣糸挿通孔４３に嵌合軸部２１が挿し込まれた際に浮子ゴム４０の下面４２にフランジ２２の上面３４が当接する（図９参照）。このため、嵌合軸部２１が釣糸挿通孔４３に入り込み過ぎることが防止される。また、フランジ２２が嵌合軸部２１の他端側に位置しているので、釣人は、フランジ２２を把持して釣用係止具２２を浮子ゴム４０に簡単に着脱することができる。
【００３５】
図３及び図４が示すように、フランジ２２の外縁角部３３には面取加工が施されている。具体的には、フランジ２２の上面３４の角部にＲ加工が施されている。これにより、釣糸挿通孔４３に嵌合軸部２１が嵌め込まれて、フランジ２２の上面３４が浮子ゴム４０に当接した際に、浮子ゴム４０とフランジ２２との間に爪を間挿可能な隙間３６ができるようになっている（図９参照）。
【００３６】
また、嵌合軸部２１には、貫通孔２８が設けられている。図３〜図６が示すように、貫通孔２８は、嵌合軸部２１の側面２５から他端面２６の中央に貫通するように嵌合軸部２１の内部に形成されている。このため、嵌合軸部２１の側面２５に開口３０が形成され、上記他端面２６に開口３１が形成される。本実施形態では、貫通孔２８の内径寸法は０．８ｍｍに設定されており、釣糸３が貫通孔２８を自由に挿通することができるようになっている。なお、貫通孔２８の寸法は一例であって、設計変更可能である。また、貫通孔２８は、対称に設けられてもよい。
【００３７】
図７は、浮子ゴム４０の斜視図である。
【００３８】
浮子ゴム４０は、ゴムなどの弾性変形可能な材料により構成されており、図７が示すように、略円錐台形のチューブ状に形成されている。浮子ゴム４０は、水中浮子を兼ねたものであるため、図７における下方向への潮の流れを受けやすいように、上面４１が下面４２よりも広く、また上面４１が内側（下面４２側）へ湾曲するように形成されている（図７及び図８参照）。浮子ゴム４０は、釣糸挿通孔４３を有している。浮子ゴム４０は、釣糸挿通孔４３が設けられていることにより、上面４１及び下面４２にそれぞれ開口４４，４５を有している。釣糸挿通孔４３は、浮子ゴム４０の軸方向（図８では上下方向）に沿って真っ直ぐに形成されている。釣糸３は、開口４４を通じて釣糸挿通孔４３に入り、開口４５を通じて釣糸挿通孔４３から出る。釣糸挿通孔４３に釣用係止具２０が挿し込まれていなければ、釣糸３は、釣糸挿通孔４３を自由に挿通することができる。なお、浮子ゴム４０は、浮子ゴム４０が有する釣糸挿通孔４３に釣用係止具２０が嵌め込まれることによって釣糸３に固定されるようになっている（図９参照）。
【００３９】
図８は、釣糸３にスライド自在に設けられた浮子ゴム４０及び釣用係止具２０の縦断面図である。図９は、釣糸挿通孔４３に嵌合軸部２１が嵌め込まれた状態を示す縦断面図である。
【００４０】
本実施形態に係る釣用係止具２０は、以下のように使用される。
【００４１】
釣人は、図１及び図８が示すように、浮子１が装着された釣糸３に浮子ゴム４０を取り付け、さらに釣用係止具２０を取り付ける。具体的には、釣人は、浮子１が装着された釣糸３を図８において上方から開口４４を通して釣糸挿通孔４３に挿通する。さらに釣人は、開口４５から出た釣糸３を開口３０を通して釣用係止具２０の貫通孔２８に挿通する。そして、釣人は、開口３１から出た釣糸３の先端にサルカン４を使用してハリス５を連結し、このハリス５の先端に釣針６を結びつける。この状態では、浮子ゴム４０及び釣用係止具２０が釣糸３に対して自由にスライドすることができる。そのため、釣人は、釣用係止具２０を用いて浮子ゴム４０を釣糸３に固定する。具体的には、釣人は、釣用係止具２０の嵌合軸部２１をその先端２４側から開口４５を通じて浮子ゴム４０の釣糸挿通孔４３に嵌め込む（図８及び図９参照）。浮子ゴム４０が弾性変形可能な材料により構成されているので、嵌合軸部２１は、釣糸挿通孔４３を拡管しながら釣糸挿通孔４３の内部へ進入する。これにより、フランジ２２の上面３４が浮子ゴム４０に当接するので、嵌合軸部２１が釣糸挿通孔４３に入り込み過ぎることはない。そのため、嵌合軸部２１が釣糸挿通孔４３から容易に抜けなくなることを防止できる。また、フランジ２２が嵌合軸部２１の他端側に位置しているので、釣人は、フランジ２２を把持して釣用係止具２０を浮子ゴム４０に簡単に着脱することができる。
【００４２】
上記のように釣糸挿通孔４３に嵌合軸部２１が圧入されると、釣糸挿通孔４３に挿通された釣糸３は、図９が示すように、釣糸挿通孔４３の内壁面４６と嵌合軸部２１の側面２５（外周面）との間に挟み込まれる。したがって、浮子ゴム４０は、釣糸３に対して係止される。
【００４３】
図９が示すように、釣糸３は、浮子ゴム４０の釣糸挿通孔４３の内部から貫通孔２８を通じて嵌合軸部２１内に入り、その後、嵌合軸部２１の他端面２６の中央から出る。すなわち、釣糸３は、浮子ゴム４０の釣糸挿通孔４３の一方側中央から入り、釣糸挿通孔４３の他方側中央から出ることになる。したがって、浮子ゴム４０が釣糸３に取り付けられた場合であっても、釣糸３は、略真直な状態を保つ。これにより、水中で仕掛けが真直になる。
【００４４】
釣糸３に装着された浮子１は、例えば実釣における仕掛けの回収時にハリス５側へスライドするが、ハリス５側には浮子ゴム４０が固定されている（図９参照）。そのため、浮子１のハリス５側への移動が浮子ゴム４０により規制され、浮子１がサルカン４に衝突することが防止される。なお、浮子ゴム４０は、弾性変形可能な材料によって形成されているので、浮子１が浮子ゴム４０に衝突しても浮子１が破損することはない。
【００４５】
ところで、釣人は、実釣中に適宜浮止具７を移動させて「タナ」を調整するが、浮子ゴム４０が水中浮子を兼ねる場合には、実釣中に浮子ゴム４０の取付位置も変更することがある。浮子ゴム４０の位置を変更するときは、釣人は、浮子ゴム４０から釣用係止具２０を取り外す。具体的には、浮子ゴム４０を支持した状態でフランジ２２を掴み、釣用係止具２０の嵌合軸部２１を浮子ゴム４０の釣糸挿通孔４３から引き抜く。このとき、フランジ２２の外縁角部（図３及び図４参照）に面取加工が施されているから、浮子ゴム４０とフランジ２２との間には上記のように隙間３６がある。これにより、釣人は、隙間３６に爪を挿し込み、フランジ２２の上面３４に爪を引っ掛けるようにして浮子ゴム４０の釣糸挿通孔４３から嵌合軸部２１を容易に引き抜くことができる。
【００４６】
図８が示すように、釣糸挿通孔４３から嵌合軸部２１が引き抜かれた状態であっても、釣糸３は嵌合軸部２１の貫通孔２８に挿通されているから、釣用係止具２０が釣糸３から脱落することがない。したがって、浮子ゴム４０の取付位置を変更する際に釣用係止具２０が落下して紛失することはない。嵌合軸部２１が浮子ゴム４０から引き抜かれると、浮子ゴム４０が釣糸３に対してスライド自在となると共に、釣用係止具２０も釣糸３に対してスライド自在となる。釣人は、浮子ゴム４０を釣糸３に対する所望の位置へスライドさせ、位置決めした後、釣用係止具２０を釣糸３に沿ってスライドさせ、再び同じ要領で嵌合軸部２１を浮子ゴム４０の釣糸挿通孔４３に嵌め込む。このようにして、浮子ゴム４０の取付位置の変更が完了する。このように、釣用係止具２０は釣糸３にスライド自在に支持されているので、釣人は、釣用係止具２０を紛失しないように注意する必要はない。そのため、釣人は、浮子ゴム４０の取付位置の変更を簡単且つ迅速に行うことができる。
【００４７】
なお、上記隙間３６（図９参照）に爪を引っ掛けることなく嵌合軸部２１を釣糸挿通孔４３から容易に引き抜くことが可能であれば、フランジ２２に対して必ずしも面取加工を施す必要はない。
【００４８】
＜第２の実施形態＞
【００４９】
図１０は、本発明の第２の実施形態に係る釣用係止具５０の正面図である。図１１は、釣用係止具５０の側面図である。図１２は、釣用係止具５０の底面図である。なお、図１０〜図１２においては、第１の実施形態に係る釣用係止具２０と同様の構成要素については同一符号が付与されている。
【００５０】
図１０〜図１２が示すように、釣用係止具５０は、嵌合軸部２１の他端側の側面に、一対の爪掛溝１５，１６が左右対称に形成されている。換言すれば、フランジ２２と同様に構成されたフランジ１４の周面に、一対の爪掛溝１５，１６が左右対称に形成されている。この釣用係止具５０は、爪掛溝１５，１６が形成されている点を除き、釣用係止具２０と同様に形成されている。爪掛溝１５，１６は、本実施形態においては、嵌合軸部２１の軸方向と略直交する方向（図１０における左右方向）へ延びるように凹設されている。そのため、釣人は、爪掛溝１５，１６に爪を引っかけて浮子ゴム４０の釣糸挿通孔４３に嵌合軸部２１を容易に挿抜することができる。
【００５１】
なお、本実施形態においては一対の爪掛溝１５，１６が設けられているが、爪掛溝１５のみを設けるようにしてもよい。ただし、一対の爪掛溝１５，１６を左右対称に設けた方が、浮子ゴム４０の釣糸挿通孔４３に対する嵌合軸部２１の挿抜が一層容易である。したがって、嵌合軸部２１の他端側の側面に一対の爪掛溝１５，１６を設けることが好ましい。
【００５２】
また、爪掛溝１５，１６が設けられていることにより、釣人は、釣糸挿通孔４３に対して嵌合軸部２１を容易に挿抜できるので、フランジ１４の外縁角部３３には、必ずしも面取加工が施される必要はない。
【００５３】
＜第３の実施形態＞
【００５４】
図１３は、本発明の第３の実施形態に係る釣用係止具６０の側面図である。図１４は、釣用係止具６０の縦断面図である。なお、図１３及び図１４においては、第１の実施形態に係る釣用係止具２０と同様の構成要素については同一符号が付与されている。
【００５５】
図１３及び図１４が示すように、釣用係止具６０は、フランジ６１を備えている。このフランジ６１は、上記第１の実施形態に係る釣用係止具２０と同様に、嵌合軸部２１の他端に当該嵌合軸部２１と一体的に形成されている。フランジ６１の上面６２（嵌合軸部２１と対向する面）は、嵌合軸部２１の中心軸Ｏの方向に対して９０°よりも大きく、１５０°以下の角度で傾斜している。この釣用係止具６０は、フランジ６１が上記形状に形成されている点を除き、第１の実施形態に係る釣用係止具２０と同様に形成されている。
【００５６】
本実施形態に係る釣用係止具６０では、釣人は、浮子ゴム４０の釣糸挿通孔４３から嵌合軸部２１を引き抜く際に、上面６２に指先を引っ掛けることができるので、嵌合軸部２１の引き抜きが一層容易である。
【００５７】
なお、本発明は、上記第１の実施形態〜第３の実施形態に限定されるものではなく、以下の形態であってもよい。
【００５８】
上記実施形態では、貫通孔２８が嵌合軸部２１の側面２５から他端面２６の中央に貫通している場合について説明したが、貫通孔２８は必ずしも他端面２６の中央に貫通している必要はない。例えば、他端面２６の周縁に貫通させてもよい。ただし、貫通孔２８が他端面２６の中央に貫通していることにより、前述のように釣糸３を略真直な状態を保つことができる（図９参照）。したがって、貫通孔２８は嵌合軸部２１の側面２５から他端面２６の中央に貫通するように形成することが好ましい。
【００５９】
また、各実施形態においては、嵌合軸部２１の他端にフランジ２２，１４，６１が形成されている場合について説明したが、これらフランジ２２，１４，６１は必ずしも設ける必要はない。ただし、フランジ２２，１４，６１を設けた場合、嵌合軸部２１が釣糸挿通孔４３に入り込み過ぎず、また嵌合軸部２１の挿抜が容易になる。したがって、嵌合軸部２１の他端にはフランジを設けることが好ましい。
【００６０】
また、本実施形態においては、本発明における仕掛補器がクッション部材と水中浮子とを兼ねた浮子ゴム４０である場合について説明したが、本発明における仕掛補器はこれに限定されるものではない。すなわち、本発明における仕掛補器は、クッション部材又は水中浮子のいずれかであってもよい。また、釣糸３に固定される、釣糸３を挿通可能な釣糸挿通孔を有するその他の釣道具であってもよい。
【産業上の利用可能性】
【００６１】
本発明は、釣糸に設けられた仕掛補器を当該釣糸に係止する釣用係止具に適用され得る。
【図面の簡単な説明】
【００６２】
【図１】図１は、浮子フカセ釣りの仕掛けの一部を模式的に示す図である。
【図２】図２は、本発明の第１の実施形態に係る釣用係止具２０の概略斜視図である。
【図３】図３は、釣用係止具２０の側面図である。
【図４】図４は、釣用係止具２０の縦断面図である。
【図５】図５は、釣用係止具２０の平面図である。
【図６】図６は、釣用係止具２０の底面図である。
【図７】図７は、浮子ゴム４０の斜視図である。
【図８】図８は、釣糸３にスライド自在に設けられた浮子ゴム４０及び釣用係止具２０の縦断面図である。
【図９】図９は、釣糸挿通孔４３に嵌合軸部２５が嵌め込まれた状態を示す縦断面図である。
【図１０】図１０は、本発明の第２の実施形態に係る釣用係止具５０の正面図である。
【図１１】図１１は、釣用係止具５０の側面図である。
【図１２】図１２は、釣用係止具５０の底面図である。
【図１３】図１３は、本発明の第３の実施形態に係る釣用係止具６０の側面図である。
【図１４】図１４は、釣用係止具６０の縦断面図である。
【図１５】図１５は、従来の浮子フカセ釣りの仕掛けを模式的に示す図である。
【図１６】図１６は、従来の仕掛補器８を示す斜視図である。
【図１７】図１７は、釣糸挿通孔１０に従来の係止具９が嵌め込まれた状態を示す縦断面図である。
【符号の説明】
【００６３】
３・・・釣糸
１４，２２，６１・・・フランジ
１５，１６・・・爪掛溝
２０，５０，６０・・・釣用係止具
２１・・・嵌合軸部
２４・・・先端（一端）
２５・・・側面
２６・・・他端面
２８・・・貫通孔
３３・・・外縁角部
４０・・・浮子ゴム（仕掛補器）
４３・・・釣糸挿通孔
６２・・・上面
【図１】
2008000110.tif 000003
【図２】
2008000110.tif 000004
【図３】
2008000110.tif 000005
【図４】
2008000110.tif 000006
【図５】
2008000110.tif 000007
【図６】
2008000110.tif 000008
【図７】
2008000110.tif 000009
【図８】
2008000110.tif 000010
【図９】
2008000110.tif 000011
【図１０】
2008000110.tif 000012
【図１１】
2008000110.tif 000013
【図１２】
2008000110.tif 000014
【図１３】
2008000110.tif 000015
【図１４】
2008000110.tif 000016
【図１５】
2008000110.tif 000017
【図１６】
2008000110.tif 000018
【図１７】
2008000110.tif 000019